(57)【要約】【課題】携帯に便利であって、かつ、装着性に優れた男性失禁者用吸収性物品を提供すること。【解決手段】身体側に配置され、尿の透過が可能な表面シートと、衣類側に配置され、尿の透過を防止する外側シート１２と、外側シート１２と表面シートとの間に配置されて、尿を吸収する吸収体１６と、を備えた男性失禁者用吸収性物品であって、山部１７と谷部とが略平行に並ぶように折られた蛇腹とされており、山部１７の稜線方向Ｘの両端部２０，２１は、蛇腹が広がらないように固定され、稜線方向Ｘと直交する方向Ｙの両端部２２，２３には、稜線方向Ｘに沿って、縮む方向に付勢された弾性体２８が設けられている。【選択図】図１
2015083060.tif 000002
【特許請求の範囲】
【請求項１】
身体側に配置され、尿の透過が可能な表面シートと、
衣類側に配置され、前記尿の透過を防止する外側シートと、
前記外側シートと前記表面シートとの間に配置されて、前記尿を吸収する吸収体と、
を備えた男性失禁者用吸収性物品であって、
山部と谷部とが略平行に並ぶように折られた蛇腹とされており、
前記山部の稜線方向の両端部は、前記蛇腹が広がらないように固定され、
前記稜線方向と直交する方向の両端部には、前記稜線方向に沿って、縮む方向に付勢された弾性体が設けられている
ことを特徴とする男性失禁者用吸収性物品。
【請求項２】
前記稜線方向と直交する方向の両端部のうち一つは、前記蛇腹を広げて陰茎及び陰嚢に被せた際、前記陰嚢の裏側に挿入されるようになっており、
前記陰嚢の裏側に挿入される部分は、前記吸収体が途中で途切れて、この途切れた部分より先端側が前記表面シート及び／又は前記外側シートのみとされている
ことを特徴とする請求項１に記載の男性失禁者用吸収性物品。
【請求項３】
前記稜線方向の両端部には前記吸収体が配設されていないことを特徴とする請求項１又は２に記載の男性失禁者用吸収性物品。
【発明の詳細な説明】
【技術分野】
【０００１】
本発明は男性失禁者用吸収性物品に関する。
【背景技術】
【０００２】
従来の男性失禁者用吸収性物品は、衣類側に配置される外側シートと、身体側に配置される表面シートと、この２つのシートの間に配置される吸収体とからなる積層体からなり、この積層体を幾重かに折り畳んで、男性の性器を包み込むようにしている。
この吸収性物品については、積層体を幾重かに折り畳むため、かさばって動き難いという問題、及び、性器に対して位置がずれ易く、尿漏れが生じるという問題がある。
【０００３】
特許文献１は、このような問題を解決するもので、その図１及び図２に示されるように、全体がドーム形状とされている。そして、厚みのある吸収体２が存在しない縁部に、環状の弾性部材４が配設されている。これにより、特許文献１の吸収性物品は、ドーム形状で陰茎及び陰嚢を覆い、さらに、吸収体２がなく変形容易な縁部に弾性部材４を配置することで環状に絞りをかけて、性器からずれ難くしている。
【先行技術文献】
【特許文献】
【０００４】
【特許文献１】特許第４４２４８０６号公報
【発明の概要】
【発明が解決しようとする課題】
【０００５】
ところで、特許文献１の吸収性物品はドーム形状で立体的な形状をしているため、持ち運ぶ際にかさばって、携帯性に不便である。
また、弾性部材４で縁部を絞ってはいるが、この縁部は吸収体の存在しない薄っぺらな部分であるため、それでも装着者の動きで位置がずれ、或いはとれてしまう恐れがある。
本発明は、携帯に便利であって、かつ、装着性に優れた男性失禁者用吸収性物品を提供することを目的とする。
【課題を解決するための手段】
【０００６】
上記課題は、身体側に配置され、尿の透過が可能な表面シートと、衣類側に配置され、前記尿の透過を防止する外側シートと、前記外側シートと前記表面シートとの間に配置されて、前記尿を吸収する吸収体と、を備えた男性失禁者用吸収性物品であって、山部と谷部とが略平行に並ぶように折られた蛇腹とされており、前記山部の稜線方向の両端部は、前記蛇腹が広がらないように固定され、前記稜線方向と直交する方向の両端部には、前記稜線方向に沿って、縮む方向に付勢された弾性体が設けられている男性失禁者用吸収性物品により解決される。
【０００７】
本発明の男性失禁者用吸収性物品は、尿の透過が可能な表面シートと、尿の透過を防止する外側シートと、外側シートと表面シートとの間に配置されて、尿を吸収する吸収体とを備えているため、失禁した際の尿を吸収体で保持すると共に、その尿が衣類につくことを防止できる。
ここで、本吸収性物品は、山部と谷部とが略平行に並ぶように折られた蛇腹でるため、蛇腹を閉じて持ち運べば、小型化された携帯性に便利な物品とすることができる。
また、当該蛇腹の山部の稜線方向の両端部は、蛇腹が広がらないように固定されている。そうすると、使用の際、山部の稜線方向の両端部を軸にするように蛇腹を広げると、本吸収性物品は全体的にベレー帽のような袋形状となって、その中に陰茎及び陰嚢を入れて包むことができ、本吸収性物品と性器との密着性を高めることができる。そして、稜線と直交する方向の両端部には、稜線方向に沿って、縮む方向に付勢された弾性体が設けられているため、上記蛇腹を広げた際のベレー帽のような袋形状を維持し易くなる。
さらに、このような蛇腹であると、身長方向に蛇腹を広げて装着することができ、この際、蛇腹の広げる数や程度に応じて、身長方向における袋形状の大きさを決められる。従って、装着者の性器の大きさに対応して、陰茎及び陰嚢を包み入れることができる。
【０００８】
また、好ましくは、前記稜線方向と直交する方向の両端部のうち一つは、前記蛇腹を広げて陰茎及び陰嚢に被せた際、前記陰嚢の裏側に挿入されるようになっており、前記陰嚢の裏側に挿入される部分は、前記吸収体が途中で途切れて、この途切れた部分より先端側が前記表面シート及び／又は前記外側シートのみとされていることを特徴とする。
そうすると、当該両端部のうち一つが陰嚢の裏側に挿入されることで、本吸収性物品の身体に対する密着度は高まるが、このように当該両端部のうち一つが陰嚢の裏側に挿入しても、陰嚢の付け根付近には柔軟性や可撓性の高い表面シート及び／又は外側シートのみが接触するため、装着時の違和感を減らすことができる。
そして、当該陰嚢の裏側に挿入される全て部分が高い柔軟性及び可撓性を有すると、装着者の動きで、吸収性物品が外れてしまう恐れがあるが、途中まで厚みの大きい吸収体が配置されているので、その剛性によりベレー帽のような袋形状を維持して、装着者の動きによる外れを有効に防止できる。
【０００９】
また、好ましくは、前記稜線方向の両端部には前記吸収体が配設されていないことを特徴とする。従って、蛇腹が広がることなく固定されて、硬くなり易い稜線方向の両端部であっても、厚みの大きい吸収体が配置されていないため、所定の柔軟性を発揮することになり、本吸収性物品を身体により密着させることができる。
【発明の効果】
【００１０】
以上、本発明は、携帯に便利であって、かつ、装着性に優れた男性失禁者用吸収性物品を提供することができる。
【図面の簡単な説明】
【００１１】
【図１】本発明の第１の実施形態に係る男性失禁者用吸収性物品の斜視図。
【図２】図１のＡ−Ａ概略断面図。
【図３】図１の全ての蛇腹を広げた男性失禁者用吸収性物品の外面側の斜視図。
【図４】図１の全ての蛇腹を広げた男性失禁者用吸収性物品の身体側の斜視図。
【図５】図１の全ての蛇腹を広げた男性失禁者用吸収性物品を装着した状態における、図３のＢ−Ｂ線の位置で切断した場合の概略断面図。
【図６】図１の男性失禁者用吸収性物品の変形例に係る端部の部分拡大図。
【図７】図１の一部の蛇腹を広げた男性失禁者用吸収性物品の外面側の斜視図。
【図８】図７の概略Ｃ−Ｃ断面図（尚、積層体の各層の断面形状は省略して図示）。
【図９】図１の男性失禁者用吸収性物品の製造装置。
【図１０】図９の袋閉じ機で袋閉じした部分。
【図１１】図９のヒートシール機でシールした部分。
【図１２】蛇腹折り機の要部。
【図１３】本発明の第２の実施形態に係る男性失禁者用吸収性物品の斜視図。
【図１４】図１３の蛇腹を広げて厚み方向を切断した場合の概略断面図。
【発明を実施するための形態】
【００１２】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下の図において、同一の符号を付した箇所は同様の構成である。
【００１３】
〔第１の実施形態〕
図１乃至図５は第１の実施形態に係る男性失禁者用吸収性物品１０であり、男性失禁者用パッドなどとも呼ばれ、男性の性器に装着して、失禁による尿を吸収すると共に、衣類への尿の付着を防止する物品である（以下、男性失禁者用吸収性物品を「失禁パッド」と呼ぶ）。
図の失禁パッド１０は、高齢者・大人用のサイズであって、図１及び図２に示すように、複数の層構造からなる積層体を蛇腹状に折って形成したものであり、使用時は、図３〜図５に示すように、当該蛇腹を広げて使用するようになっている。
【００１４】
当該積層体は、本実施形態の場合、衣類側に配置される外側シート１２と、身体側に配置される表面シート１４と、外側シート１２と表面シート１４との間に配置される吸収体１６とを有している。
外側シート１２は、尿の透過を防止するバックシートであり、吸収体１６で保持する尿が衣類に付着することを防止するものである。この外側シート１２は、可撓性を備えた材質、例えば薄いプラスチックフィルムにより作られている。具体的には、ポリエチレンフィルムやポリエチレンラミネート紙等が使用できる。外側シート１２は、尿は通さないが水蒸気を透過させるのが好ましくは、これにより蒸れを防止できる。
【００１５】
表面シート１４は、装着者の肌に直接触れる面側であり、柔軟性及び可撓性を備えている。そして、排泄物である尿を吸収体１６に透過させると共に、吸収体１６で保持された尿が身体に触れることを防止する役割を有しており、トップシート等とも呼ばれている。
本実施形態の表面シート１４は、起毛立ちし難くい材料である不織布から形成されており、例えば、合成樹脂を繊維化した熱融着性繊維（例えば、ＰＥＴ／ＰＥ，ＰＰ／ＰＥ，ＰＥＴ／ＥＰ，ＰＰ／ＥＰ）をサーマルボンド法やスパンボンド法等でバインダーを使わずに融着して形成されている。なお、図の表面シート１４は一層からなっているが、複数の層から構成されてもよい。
【００１６】
吸収体１６は、表面シート１４を透過してきた尿を吸収して保持する役割を有し、当該尿の保持性が高い態様とされるのが好ましい。このような吸収体１６としては、例えばパルプに吸収材であるポリマーを混合したり、パルプにポリマーを散布したりして形成するパルプ吸収体、さらにパルプ等によるシート材間にポリマーを高密度に配置してシート状としたポリマーシート等が使用できる。この吸収体１６は、積層体の中で最も厚みが大きく、外面シート１２及び表面シート１４に比べて高い剛性を有する。
なお、図の吸収体１６は便宜上、一層で図示しているが、上述したパルプ吸収体等はティッシュで包まれている。このティッシュには、液体等を吸収する柔らかい材質、たとえばパルプ、レーヨン、コットン、ケナフ、バガス、シルク、親水処理をした繊維（ポリオレフィン系、ポリエステル、アクリル）などを単一又は複合してシート化したものを用いることができる。
【００１７】
ここで、失禁パッド１０は、図１及び図２に示すように、このような積層体を複数の山部１７と谷部１８とが略平行に並ぶように折って、全体が蛇腹とされており、このため、山部１７と谷部１８が並ぶ方向（図のＹ方向）に伸縮自在となっている。
そして、失禁パッド１０は、全体が伸縮自在とはされず、山部１７の稜線方向（図１のＸ方向）の両端部２０，２１は、蛇腹が広がらないように固定されている。両端部２０，２１の固定は、超音波溶着、或いは接着剤や縫合などで固定可能であり、本実施形態の場合、超音波溶着されている。
このようにして蛇腹状の失禁パッド１０は、両端部２０，２１を基準にするようにして、図１及び図２の＋Ｒ，−Ｒ方向に円弧状に広がり、そして図３及び図４に示すように、ベレー帽のような袋形状となる。即ち、蛇腹を広げると、ドーム状又は傘状の部分２４と、この部分２４の縁２４ａから内側に折り返した（帽子の鍔とは反対側となるように折り返した）折り返し部２２，２３を有している。この折り返し部２２，２３は、蛇腹を広げる前は、図２に示す山部１７の稜線と直交する方向Ｙの蛇腹の両端部２２，２３に当たる。
従って、失禁パッド１０は、図５に示すように、蛇腹を広げて開口部３０に陰茎ＰＮ及び陰嚢ＳＣを挿入して被せた際、折り返し部２２，２３の一部（即ち、図２の山部１７の稜線方向Ｘと直交する方向Ｙの両端部２２，２３のうち一つ）２２を陰嚢ＳＣの裏側に挿入して、陰茎ＰＮ及び陰嚢ＳＣを包み込むようになっている。これにより、失禁パッド１０は身体に対する密着度が高められ、使用者の動きで位置ずれし難くなっている。
【００１８】
特に、図５の陰嚢ＳＣの裏側に挿入される折り返し部（図２の山部１７の稜線方向Ｘと直交する方向Ｙの両端部２２，２３のうち一つ）２２は、吸収体１６が途中で途切れて、この途切れた部分より先端側が表面シート１４及び／又は外側シート１２のみとされている。従って、陰嚢ＳＣの付け根付近には柔軟性や可撓性の高い表面シート１４や外側シート１２のみが接触するため、装着時の違和感を軽減できる。しかも、当該陰嚢ＳＣの裏側に挿入される部分には、積層体の中で最も剛性が大きい吸収体１６が途中まで配置されているので、その剛性により所定の袋形状を維持して、装着者の動きによって失禁パッド１０が外れてしまう恐れを有効に防止できる。
【００１９】
また、失禁パッド１０は、装着の際、図２の山部１７と谷部１８が並ぶ方向Ｙを装着者の身長方向に合わせるようにして、蛇腹を広げることで、図５に示すように、身長方向に蛇腹を広げることができる。このように蛇腹は複数の山部及び谷部を身長方向に交互に並べて配置可能であるため、蛇腹の広げる数や広げる程度を変えて、身長方向の袋形状の大きさを変えることもできる。従って、例えば、図７及び図８に示すように、一部の蛇腹を広げずに、折り返し部２２を陰嚢ＳＣの裏側に挿入するようにして小さ目の性器を包み込むことができ、これにより、性器の大きさに拘らず、失禁パッド１０を身体に密着させることができる。
【００２０】
さらに、失禁パッド１０は、図１、図２、図４、及び図５に示すように、山部１７の稜線方向Ｘと直交する方向Ｙの蛇腹の両端部２２，２３において、吸収体１６が配設されていない先端部２２ａ，２３ａに、稜線方向Ｘに沿って延びる弾性体２８が固定されている。換言すれば、図４に示すように、蛇腹を広げた際において、開口部３０の周縁部には吸収体１６がなく、そこに弾性体２８が設けられている。
この弾性体２８は、未使用時の蛇腹を閉じた図１の状態で、縮む方向に付勢されており、稜線方向Ｘの中心部に向かってテンションがかかっている。これにより、図３及び図４の蛇腹を広げた状態で、上述したベレー帽のような袋形状を維持し易く、優れた装着性を発揮することができる。
【００２１】
本実施形態の弾性体２８は、互いに平行な２本のゴム紐等からなり、図２に示すように、折られた外側シート１２の間に配置されている。
また、この弾性体２８は、図１に示すように、蛇腹の高さ（蛇腹の折り幅）Ｈ１の中心付近に配置されるのが好ましい。
また、弾性体２８の縮む方向の弾性力は、図４のように蛇腹を広げた際、山部１７の稜線方向の両端部２０，２１が図の矢印Ｘ１方向に互いに接近して、性器を挟持できる強さとするのがより好ましく、これにより身体への密着度をさらに高めることができる。
【００２２】
本発明の第１の実施形態に係る失禁パッド１０は以上のように構成されており、このため、未使用時には図１に示すように蛇腹を折り畳んでコンパクトに持ち運べる。
そして、使用時には図３〜図５に示すように、蛇腹を広げてベレー帽のような袋形状にし、陰茎ＰＮ及び陰嚢ＳＣを包み込んで、身体に対する密着性を高めることができる。
【００２３】
なお、本実施形態では、図１及び図２に示すように、未使用時に可及的に美しく蛇腹を折り畳んで棒状とできるように、蛇腹の高さＨ１は全てが略同じとされているが、本発明はこれに限られず、蛇腹の高さを区々としてもよい。
また、本発明の蛇腹の数（山部１７及び谷部１８の数）は図示される数に限られるものではないが、数が少ないと失禁パッド１０の蛇腹を折り畳んだ際の幅Ｈ１が大きくなって携帯性に好ましくなく、逆に、数が多過ぎると、図５に示す折り返し部２２の陰嚢の裏に挿入される長さが小さくなって、陰嚢との係止度合が弱くなってしまう。従って、蛇腹は山部１７の数を５〜７個程度、蛇腹の高さＨ１を２〜５ｃｍ程度とするのが好ましい。
【００２４】
また、上記実施形態では、図１及び図４に示すように、山部１７の稜線方向Ｘの両端部２０，２１に吸収体１６が配設されているが、この両端部２０，２１には、図６に示すように、吸収体１６を配設しないのがより好ましい。即ち、両端部２０，２１は、積層体が蛇腹に折られて、それが広がらないように固定された部分であるため、図４に示すように、蛇腹を広げて最も剛性の大きい部分となり、この部分が身体への密着度を阻害する恐れがある。そこで、この両端部２０，２１を外側シート１２及び／又は表面シート１４のみにして柔軟性及び可撓性をもたせることで、失禁パッド１０の身体への密着度をより高めることができる。
【００２５】
〔第１の実施形態の製造方法〕
次に、図１〜図５の失禁パッド１０の製造方法について、図９〜図１２で概説する。
図９は当該製造方法に係る製造装置４０であり、図１０は図９の袋閉じ機４１で袋閉じした部分、図１１は図９のヒートシール機４２でシールした部分、図１２は図９の蛇腹折り機４３の要部である。
図９の製造装置４０を用いた失禁パッドの製造方法では、第１のロール５０から外側シート１２、第２のロール５１から吸収体１６、第３のロール５２から表面シート１４を、それぞれ繰り出し、各シートの蛇行を修正しながら積層するが（積層体形成工程）、この積層体形成工程の前に、袋閉じ工程を行う。
即ち、第４のロール５３からテンションをかけられながら弾性体２８を繰り出し、その弾性体２８にホットメルトガン５５で接着剤を塗布する。そして、袋とじ機４１により、第１のロール５０から繰り出した外側シート１２の両端部を折り曲げ、図１０に示すように、その折り曲げた間に弾性体２８を入れる。その後、図９のヒートシール機４２で、折り曲げた外側シート１２を加熱加圧して、図１１に示すようにシールする。この弾性体２８を挟んだ外側シート１２の袋閉じが、図２の吸収体１６が配設されていない先端部２２ａ，２３ａに該当する。
【００２６】
次いで、図９のホットメルトガン４４で、外側シート１２及び表面シート１２に接着剤を塗布した後、外側シート１２、吸収体１６、表面シート１４の順でこれらを積層してプレス機４５で圧着し、積層体５８を形成する（積層体形成工程）。
次いで、この積層体５８を蛇腹折り機４３で、蛇腹状に折り加工する（蛇腹形成工程）。即ち、図１２に示すように、蛇腹折り機４３は、蛇腹の断面形状（ジグザク形状）に対応したスリット５６が開けられた複数の板材４５−１〜４５−ｎを有し、このスリット５６の間に上記積層体５８を通過させる。ここで、板材４５−１〜４５−ｎは、積層体５８が通過して進む方向（図１２のＦ方向）に向かうに従って、スリット５６のジグザクの間隔Ｄが除々に狭くなっており、これにより、図２に示すように、互いに隣接する山部１７，１７どうしの間隔が狭い蛇腹折りとすることができる。
【００２７】
次いで、蛇腹折りされた積層体５８は、図示しないツイストコンベアやプレスベルト等を通過し、その後、図９に示す超音波溶着機４８で、図１に示す稜線方向Ｘの両端部２０，２１に該当する部分を、超音波振動と加圧力によって蛇腹が開かないように接合する。
そして、図９に示すカッター４９で当該接合した部分を切断して、図１に示す失禁パッド１０を完成させる。
【００２８】
〔第２の実施形態〕
次に、本発明の第２の実施形態に係る男性失禁者用吸収性物品（失禁パッド）について、図１３及び図１４で説明する。
図１３は当該第２の実施形態に係る失禁パッド６０の斜視図、図１４は図１３の蛇腹を広げて積層体の厚み方向を切断した場合の概略断面図である。なお、図１３の一点鎖線で囲った拡大図を除く部分では、図面が煩雑にならないように山部１７を省略している。
これらの図の失禁パッド６０が図１〜図５の失禁パッド１０と異なるのは、図１の蛇腹状の失禁パッド１０をさらに蛇腹状に折り曲げ加工している点である。
【００２９】
すなわち、図１３の失禁パッド６０は、図１の蛇腹状の失禁パッド１０を、図１の山部１７の稜線方向Ｘにさらに蛇腹状に折って形成されている（図１で折った蛇腹の方向と、図１３でさらに折った蛇腹の方向とは直交している）。従って、図１３の失禁パッド６０では、一点鎖線で囲った拡大図に示す第１の山部１７と、蛇腹が開かないように固定された両端部２０，２１どうしを結ぶ方向Ｘに並ぶ第２の山部６１とを有している。また、谷部についても同様に、第１の谷部（不図示）と第２の谷部６２が形成されている。
【００３０】
従って、失禁パッド６０は、図１の失禁パッド１０に比べて長さが小さくなり、持ち運びが容易になる。なお、この失禁パッド６０を使用する際は、図１３の＋Ｘ，−Ｘ方向に引っ張って図１の状態にし、その後、＋Ｒ，−Ｒ方向に円弧状に蛇腹を広げて、図３及び図４の状態にできる。
また、図１及び図２の失禁パッド１０では、複数の山部１７が並ぶ方向の蛇腹の両端部２２，２３のうち、一方の端部２２に設けられた弾性体２８と、他方の端部２３に設けられた弾性体２８の力のバランスが崩れると、蛇腹を閉じた状態で真っ直ぐな棒状にならない恐れがある。しかし、図１３の失禁パッド６０は、積層体の蛇腹状をさらに蛇腹状に折っているため、全体的にかなり高い曲げ剛性を実現でき、図１３に示す直線状の棒状態を維持し易くなる。
また、図１４に示すように、本第２の実施形態の失禁パッド６０を構成する積層体１９は、外側シート１２の表面にさらに別のシート体１５が配設されている。このシート体１５は外側シート１２に比べて表面の摩擦係数が高い、例えば不織布から形成されている（可撓性等は外側シート１２と大差はない）。従って、その摩擦力で図１３の蛇腹が広がってしまう事態を有効に防止できる。
【００３１】
ところで本発明は上記実施の形態に限定されるものではなく、上述の実施形態の個別の構成は、必要により省略したり、説明しない他の構成と組み合わせたりしてもよい。
例えば、本実施形態では、図５に示すように、吸収体１６が配設されていない先端部２２ａ，２３ａに弾性体２８が設けられているが、吸収体１６を先端部２２ａ，２３ａまで延伸させて、そこで弾性体２８を設けてもよい。
また、上述した各実施形態では、失禁パッド１０，６０の全体を蛇腹状にしているが、蛇腹状でない部分を有していても構わない。
【符号の説明】
【００３２】
１０，６０・・・男性失禁者用吸収性物品（失禁パッド）、１２・・・外側シート、１４・・・表面シート、１６・・・吸収体、１７・・・山部、１８・・・谷部、２８・・・弾性体、２０，２１・・・稜線方向の両端部、２２，２３・・・稜線方向と直交する両端部
【図１】
2015083060.tif 000003
【図２】
2015083060.tif 000004
【図３】
2015083060.tif 000005
【図４】
2015083060.tif 000006
【図５】
2015083060.tif 000007
【図６】
2015083060.tif 000008
【図７】
2015083060.tif 000009
【図８】
2015083060.tif 000010
【図９】
2015083060.tif 000011
【図１０】
2015083060.tif 000012
【図１１】
2015083060.tif 000013
【図１２】
2015083060.tif 000014
【図１３】
2015083060.tif 000015
【図１４】
2015083060.tif 000016